(57)【要約】定義された人、特に患者用に、定義された期間分の個別に定義された製品を組み合わせたもの、特に薬、が自動的に包装された個人用ブリスタパック（２０）は、それぞれフィルム（２５）によって閉じられた、製品を組み合わせた製品のための複数の収容コンパートメント（２２）であって、定義された期間内の定義された使用時間とそれぞれ対応付けられて、使用日用のラインとその日のうちの使用時間用のラインとを多数含むマトリックス形状に配置された複数の収容コンパートメント（２２）と、定義された製品使用時間のリマインダとして、記憶された使用データに基づいて使用リマインダ信号を生成するための装置（５８）を含み、定義された人の定義された期間分の製品を組み合わせた製品の使用データを記憶するためのメモリデバイス（５０）とを含む。ブリスタパック（２０）は、定義された期間、たとえば一週間分の個人の要求を、迅速で安全かつ廉価に供給することを可能にし、リマインダ機能を含むことができるメモリデバイスを用いて、製品の計画的な使用を支援する。
2009540989.tif 000002
【特許請求の範囲】
【請求項１】
定義された人用に、定義された期間分の個別に定義された製品を組合せたもの、特に薬、が自動的に包装された個人用ブリスタパック（２０）であって、
定義された期間内の定義された使用時間とそれぞれ対応付けられ、使用日用の横列とその日のうちの使用時間用の縦列とを多数有するマトリックス形状に配置され、それぞれホイル（２５）によって閉じられた、製品を組合せた製品用の複数の収容コンパートメント（２２）と、
記憶された使用データに基づいて、定義された製品使用時間のリマインダとして使用リマインダ信号を生成するための装置（５８）を含み、定義された人の定義された期間分の製品を組合せた製品の使用データを記憶するためのメモリデバイス（５０）と、
を有する個人用ブリスタパック。
【請求項２】
製品を組合せたものが、薬、ビタミン製剤、補助食品等の製品を含む、請求項１記載の個人用ブリスタパック。
【請求項３】
ブリスタパック（２０）内にない製品、たとえば薬、ビタミン製剤、補助食品等に関する、患者のさらなる使用データが、メモリデバイス（５０）に記憶されることができる、請求項１又は２に記載の個人用ブリスタパック。
【請求項４】
さらなる治療及び／又は診断動作、たとえば血圧測定に関する患者のさらなる使用データが、メモリデバイス（５０）に記憶されることができる、請求項１、２又は３に記載の個人用ブリスタパック。
【請求項５】
メモリデバイス（５０）が、記憶された使用データを表示するための装置（５３）を有する、請求項１〜４のいずれか一項記載の個人用ブリスタパック。
【請求項６】
使用リマインダ信号を生成するための装置（５８）が、音響信号、視覚信号又は振動アラーム信号を生成するように設計される、請求項１記載の個人用ブリスタパック。
【請求項７】
使用リマインダ信号が、所定期間抑制されることができる、請求項１記載の個人用ブリスタパック。
【請求項８】
抑制された使用リマインダ信号が、出力されてすぐに変換されることができる、請求項７記載の個人用ブリスタパック。
【請求項９】
人による製品使用の確認のための確認ボタンを有する、請求項１〜８のいずれか一項記載の個人用ブリスタパック。
【請求項１０】
メモリデバイス（５０）の位置を検出するためのＧＰＳユニット（５５）を有する、請求項１〜９のいずれか一項記載の個人用ブリスタパック。
【請求項１１】
無線インターフェイス（５４）を介して緊急呼び出しをするための緊急呼び出しボタン（５７）を有する、請求項１〜１０のいずれか一項記載の個人用ブリスタパック。
【請求項１２】
緊急呼び出しボタン（５７）を操作することにより、ユーザ宅のアクセスアンロッキングシステムを始動させる、請求項１１記載の個人用ブリスタパック。
【請求項１３】
関連する収容コンパートメント（２２）が開いていることを検出するためのセンサ装置を有する、請求項１〜１２のいずれか一項記載の個人用ブリスタパック。
【請求項１４】
使用リマインダ信号のパラメータ、特に音量が調節可能である、請求項１〜１３のいずれか一項記載の個人用ブリスタパック。
【請求項１５】
特定の人に対応付けられた個人識別データが、メモリデバイス（５０）内に記憶される、請求項１〜１４のいずれか一項記載の個人用ブリスタパック。
【請求項１６】
メモリデバイス（５０）が、個人識別データを出力するための出力装置（５８）を有する、請求項１５記載の個人用ブリスタパック。
【請求項１７】
メモリデバイス（５０）が、ＥＰＲＯＭメモリ素子（５２）を有する、請求項１〜１６のいずれか一項記載の個人用ブリスタパック。
【請求項１８】
メモリデバイス（５０）が、ＲＦＩＤメモリ素子（５２）を有する、請求項１〜１６のいずれか一項記載の個人用ブリスタパック。
【請求項１９】
メモリデバイス（５０）が、フラッシュメモリ素子の形状である、請求項１〜１６のいずれか一項記載の個人用ブリスタパック。
【請求項２０】
メモリデバイス（５０）が、製品自体、使用形態、使用量、使用期間及び使用時間、ならびに必要であればさらなる個人関連及び／又は製品関連情報を含む使用データを記憶するように設計される、請求項１〜１９のいずれか一項記載の個人用ブリスタパック。
【請求項２１】
メモリデバイス（５０）が、食事に関連した、製品の詳細な使用時間を記憶するように設計される、請求項２０記載の個人用ブリスタパック。
【請求項２２】
メモリデバイス（５０）が、ブリスタパック（２０）から取り外すことができる、請求項１〜２１のいずれか一項記載の個人用ブリスタパック。
【請求項２３】
メモリデバイス（５０）が、携帯装置（６０）を有する、請求項１〜２２のいずれか一項記載の個人用ブリスタパック。
【請求項２４】
メモリデバイス（５０）が、防水性で、水洗い可能な耐衝撃性のケースを有する、請求項１〜２３のいずれか一項記載の個人用ブリスタパック。
【請求項２５】
メモリデバイス（５０）が、一回使用であるように設計される、請求項１〜２４のいずれか一項記載の個人用ブリスタパック。
【請求項２６】
メモリデバイス（５０）が、メモリデバイス（５０）を複数回使用するために、何度も書き込むことができるメモリ素子（５２）を有する、請求項１〜２５のいずれか一項記載の個人用ブリスタパック。
【請求項２７】
メモリデバイス（５０）が、使用データを更新するためのインターフェイス（５４）を有する、請求項２６記載の個人用ブリスタパック。
【請求項２８】
ホイル（２５）を覆うためにブリスタパック（２０）上に形成され、使用情報を印刷するためのラベル面を有するヒンジ蓋を有する、請求項１〜２７のいずれか一項記載の個人用ブリスタパック。
【請求項２９】
ブリスタパックの一列を分離することができるようにする、マトリックス形状のミシン目セクション（２４）を有する、請求項１〜２８のいずれか一項記載の個人用ブリスタパック。
【請求項３０】
定義された期間が一週間であり、ブリスタパック（２０）が一週間のニーズ用のウィークリブリスタの形状である、請求項１〜２９のいずれか一項記載の個人用ブリスタパック。
【請求項３１】
特定の人に対応付けられた識別子（２９）を備える、請求項１〜３０のいずれか一項記載の個人用ブリスタパック。
【請求項３２】
識別子（２９）が、印刷された識別子、たとえばバーコードの形状である、請求項３１記載の個人用ブリスタパック。
【請求項３３】
大人数の人用に、定義された期間分の個別に定義された製品を組合せたもの、特に薬、を自動的に包装する方法であって、
大人数の人のそれぞれ個別の製品使用データを取り込んで、データベース（８０）に記憶するステップと、
ある個人に対応付けられた定義された期間分の使用データを、データベース（８０）から読み出すステップと、
読み出された使用データに基づいて、適切な製品を組合せたものを準備して、指定の人用のブリスタパック（２０）、該ブリスタパック（２０）の収容コンパートメント（２２）が、使用日用の横列とその日のうちの使用時間用の縦列とを多数有するマトリックス形状に配置され、対応して配列された製品で充填される、内に自動的に包装するステップと、
記憶された使用データに基づいた使用リマインダ機能を含む、指定の人用のメモリデバイス（５０）に、読み出された使用データを記憶するステップと、
指定の人用の適切な包装ユニット（２０）に、メモリデバイス（５０）を取り付けるステップと
を有する方法。
【請求項３４】
製品を組合せたものが、薬、ビタミン製剤、補助食品等の製品を含む、請求項３３記載の方法。
【請求項３５】
ブリスタパック内にない製品、たとえば薬、ビタミン製剤、補助食品等に関する、個人のさらなる使用データが、メモリデバイス（５０）に記憶される、請求項３３又は３４に記載の方法。
【請求項３６】
さらなる治療及び／又は診断動作、たとえば血圧測定に関する患者のさらなる使用データが、メモリデバイス（５０）に記憶される、請求項３３、３４又は３５に記載の方法。
【請求項３７】
薬包装ユニット（２０）とメモリデバイス（５０）とが、ともに供給される、請求項３３〜３６のいずれか一項記載の方法。
【請求項３８】
使用データが、製品自体、使用形態、使用量、使用期間及び使用時間、ならびに必要であればさらなる個人関連及び／又は製品関連情報を含む、請求項３３〜３７のいずれか一項記載の方法。
【請求項３９】
使用時間が、食事に関連した、製品の詳細な使用データを含む、請求項３８記載の方法。
【請求項４０】
ひとりの人に必要とされ、ブリスタパック（２０）で搬送されることができるすべての製品が、包装ユニット（２０）によってその人に供給される、請求項３３〜３９のいずれか一項記載の方法。
【請求項４１】
定義された期間が一週間である、請求項３３〜４０のいずれか一項記載の方法。
【請求項４２】
使用リマインダ機能が、音響、視覚又は振動信号によって行われる、請求項３３〜４１のいずれか一項記載の方法。
【請求項４３】
プログラム可能なメモリデバイス（５０）が複数回用いられる、請求項３３〜４２のいずれか一項記載の方法。
【請求項４４】
メモリデバイス（５０）に記憶された使用データが、遠隔データ伝送によって更新される、請求項３３〜４３のいずれか一項記載の方法。
【請求項４５】
更新が、移動通信ネットワーク、無線ＬＡＮ又はインターネットを介して行われる、請求項４４記載の方法。
【請求項４６】
定義された人に対応付けられた個人識別データが、メモリデバイス（５０）に記憶される、請求項３３〜４５のいずれか一項記載の方法。
【請求項４７】
包装ユニット（２０）が、特定の人に対応付けられた識別子（２９）を備える、請求項３３〜４６のいずれか一項記載の方法。
【請求項４８】
メモリデバイスに記憶された個人識別データが、包装ユニットに取り付けられた識別子（２９）と一致することをチェックする方法ステップを有する、請求項４６及び４７記載の方法。
【請求項４９】
メモリデバイス（５０）の位置が、ＧＰＳユニット（５５）によって検出される、請求項３３〜４８のいずれか一項記載の方法。
【請求項５０】
緊急呼び出しが、緊急呼び出しボタン（５７）及び無線インターフェイス（５４）によってなされることができる、請求項３３〜４９のいずれか一項記載の方法。
【請求項５１】
緊急呼び出しボタン（５７）を操作することにより、ユーザ宅のアクセスアンロッキングシステムをさらに始動させる、請求項５０記載の方法。
【発明の詳細な説明】
【技術分野】
【０００１】
本発明は、個別に定義された製品、詳細には、定義された人向けに定義された期間、たとえば一週間用の薬からなる、を組合せたものを自動包装するブリスタパック及び関連する包装方法に関する。
【背景技術】
【０００２】
従来技術
日にち、曜日及び時刻（朝、昼及び夕方及び／又は夜）で並べられた順序で薬を服用することになっている患者の週単位の薬の必要のためのブリスタパックは、国際特許出願公開第2005/102862号から既知である。薬を収容するためのブリスタパックの収容コンパートメントは、少なくとも３つの時刻コンパートメントをそれぞれ有する７日分の列を備えるマトリックス形状に配置されて、連続したブリスタフィルムによって全体的に覆われる。ブリスタパックには、段ボール箱の形状のカバーが取り付けられ、その上には、個別の時刻コンパートメントと、薬に関する処方情報との組合せが含まれる。
【０００３】
複数の異なる薬を定期的に服用しなければならない患者にとって、そのような包装ユニットは、患者が一方では重要な薬を服用することを忘れないことと、他方ではどの薬がすでに服用されているかについて確実に全体像を得ることとを助け、有害な場合がある過剰服用を回避する。
【０００４】
国際特許出願公開第2005/102862号に記載されたウィークリブリスタは、このように患者の薬物療法を必要に応じて確実に支援すると同時に、安価に生産することができ、またローディング機を用いて、数多くの患者向けに個別に詰めることができる。
【０００５】
しかし、上記のウィークリブリスタパックの場合、印刷された服用指示書が、特に高齢の患者にとって読みにくい場合があるが、これは、必要な情報が大量であり、印刷物にはスペースに制限があるためである。また、患者が薬を用いる時間を逸する危険がある。
【０００６】
国際特許出願公開第2004/002396号は、特に臨床試験で用いる薬のためのブリスタパックを記載し、ブリスタパック内の薬の使用データを記憶するためのメモリデバイスと、リマインダ装置と、電気抵抗に基づいて、ブリスタコンパートメントが開いていて薬が服用されているかについて検出するための回路機構とが備えられている。
【０００７】
米国特許出願公開第2004/01721630号は、薬を包装するための装置を記載し、これらは複数の薬コンパートメントを備える円形ボックス内に包装されており、患者に薬を服用することを気付かせるための薬使用データが記憶された回路装置が設けられている。
【発明の概要】
【発明が解決しようとする課題】
【０００８】
したがって、本発明の目的は、既知の個人用ブリスタパックをさらに発展させることであり、これによって患者に対する適切な薬物療法のためのより良好な支援を提供する。
【課題を解決するための手段】
【０００９】
本目的は、定義された人の定義された期間分の個別に定義された製品を組合せたもの、特に薬、が自動的に包装された個人用ブリスタパックによって達成され、製品を組合せた製品のためにそれぞれホイルによって閉じられ、定義された期間内の定義された使用時間とそれぞれ対応付けられて、使用日用の横列とその日のうちの使用時間用の縦列とを多数有するマトリックス形状に配置された複数の収容コンパートメントと、記憶された使用データに基づいて、定義された製品使用時間のリマインダとして使用リマインダ信号を生成するための装置を含み、定義された人の定義された期間分の製品を組合せた製品の使用データを記憶するためのメモリデバイスとを含む。
【００１０】
メモリデバイスは、使用データ、たとえば製品自体、用量、使用時間等を、関連する個人について個別に記憶することを可能にし、データは、音響又は視覚出力によってアクセス可能にすることができる。詳細には、メモリデバイスは、使用リマインダ信号を出力することを可能にし、指定された薬又は他の製剤を指定された時間に服用することを患者に気付かせる。リマインダ信号は、音響、視覚又は振動のアラーム信号であることができる。信号パラメータ、たとえば音響信号の音量は、たとえば調節可能にすることができる。好ましくは、リマインダ信号を、指定された期間抑制することも可能であり、この場合、抑制された信号は、好ましくはすぐに変換される出力であることができる。また、患者がボタン又は同様のものを押すことによって製品使用を能動的に確認することによるか、又はブリスタパックの各収容コンパートメントに設けられたセンサによって、対応するコンパートメントのホイルが破れていることを検出する確認機能を備えることができる。
【００１１】
メモリデバイスには、さらなる治療及び／又は診断動作、たとえば血圧測定に関する患者のさらなる使用データを記憶させることができる。
【００１２】
また、個人用ブリスタパックはＧＰＳユニットを有して、メモリデバイスの、ひいてはユーザ／患者の位置を検出することができる。
【００１３】
さらなる実施形態では、ブリスタパックは、無線インターフェイスを介して緊急呼び出しを行うための緊急呼び出しボタンを有することができ、その場合、緊急呼び出しボタンを操作することによって、たとえばユーザ宅の玄関ドアに設置されたアクセスアンロックシステムを、トランスポンダ又は同様のものを介してさらに作動させて、救急サービス又は同様のもののアクセスを容易にすることができる。
【００１４】
メモリ素子は、たとえばＥＰＲＯＭメモリ素子、もしくはＲＦＩＤ又はフラッシュメモリ素子にすることができる。メモリ素子は、メモリ素子を一回だけ使用するために一度のみ書き込むことができるメモリか、又はメモリデバイスを複数回使用するために何度も書き込むことができるメモリかの形状にすることができる。好ましくは、メモリデバイスは、たとえば移動通信ネットワーク、無線ＬＡＮ、Ｂｌｕｅｔｏｏｔｈ又は同様のものを介して、更新された患者用使用データを受信するためのインターフェイスを含むことができる。
【００１５】
メモリデバイスは、特定の人に対応付けられた個人識別データを記憶させることができ、個人識別情報を出力するための出力装置を有することができる。
【００１６】
また、ブリスタパックは、特定の人に対応付けられ、たとえばバーコード又は同様のものの形状である識別子を備えることができる。
【００１７】
好ましくは、メモリデバイスはブリスタパックに着脱可能に取り付けられ、携帯装置、たとえば保持ストラップ又は同様のものを有する。メモリデバイスは、好ましくは防水性で、水洗い可能な耐衝撃性のケースを有する。
【００１８】
本発明のブリスタパックは、さまざまな製品、たとえば薬、ビタミン製剤、補助食品及び同様のものを包装するのに好適であり、この場合、メモリデバイスは、ブリスタパック内に収納された製品の、しかしまた他の製品の使用データも記憶することができる。
【００１９】
また、本発明は、大勢の人用に、定義された期間（たとえば一週間）にわたり個別に定義された、特に薬からなる、製品を組合せたものを自動的に包装し、同時にその人が、必要に応じて供給された製品を用いることを確実に支援する方法を提案する目的に基づく。
【００２０】
本目的は、大人数の人のそれぞれ個別の製品使用データを取り込んで、データベースに記憶することと、定義された期間にわたってある個人に対応付けられた使用データをデータベースから読み出し、読み出された使用データに基づいて適切な製品を組合せたものを準備して、収容コンパートメントが使用日用の横列とその日のうちの使用時間用の縦列とを多数有するマトリックス形状に配置されて対応して配列された製品で充填される、指定の人用のブリスタパック内に自動的に包装することと、記憶された使用データに基づいた使用リマインダ機能を含む、指定の人用のメモリデバイスに、読み出された使用データを記憶することと、指定の人用の適切な包装ユニットにメモリデバイスを取り付けることとを有する方法によって達成される。
【００２１】
本発明の方法により、包装ユニット内の製品の、及び適切であれば用いられる他の製品の使用データは、メモリデバイス上でその個人又は患者が入手できるようにして、適切な使用を支援する。リマインダ機能により、患者に正しい時間で薬を服用することを気付かせる。リマインダは、音響信号、視覚信号又は同様のものによることができる。
【００２２】
メモリデバイスは、包装ユニット（詳細にはブリスタパック）に着脱可能に取り付けられ、１回または繰返し用いるための形状にすることができる。繰返し用いる場合、使用データは、無線手段によって、たとえば移動通信ネットワーク、無線ＬＡＮ又はＢｌｕｅｔｏｏｔｈインターフェイスを介して更新することができる。
【００２３】
メモリデバイスに記憶された個人識別データが、包装ユニットに取り付けられた識別子と一致することをチェックする方法ステップにより、包装ユニットと記憶された使用データとの対応付けの正確さを検証することができ、したがって本方法のセキュリティが向上する。
【００２４】
実施形態に基づき、図面を参照して、本発明を詳細に記載する。
【図面の簡単な説明】
【００２５】
【図１】メモリユニットを有する本発明のウィークリブリスタの実施形態の斜視図を示す。
【図２】本発明のメモリユニットの実施形態のブロック図である。
【図３】本発明の方法の実施形態を説明するための概略図である。
【図４】本発明の方法の方法ステップを説明するためのフローチャートである。
【図５】本発明のメモリユニットのさらなる実施形態のブロック図である。
【発明を実施するための形態】
【００２６】
図１は、本発明の個人用ブリスタパック２０の実施形態を示す。これは、いわゆるウィークリブリスタの形状であり、個人又は患者に、一週間分の薬及び同様の製品、たとえばビタミン製剤、補助食品等を供給する。明らかに、本発明は特定の期間に限定されない。ブリスタパック２０は、全体としてマトリックス形状であり、一週間の各日用として、ミシン目２４によって切り離すことができる４つの収容コンパートメント２２の横列（実施形態に図示する）が設けられ、それぞれ「午前」、「午後」、「夕方」又は「夜」に、又は「朝食時」、「昼食時」、「夕食時」及び「就寝前」に用いられる製品を収納する。使用の範囲に依存して、異なる数の収容コンパートメント２２を、たとえば食前、食間又は食後に対応する各食事用の３つの収容コンパートメントを設けることができる。
【００２７】
合計２８個の―図１に示す実施例の―収容コンパートメント２２は、好ましくは透明な熱可塑性材料から、深絞りによって廉価に大量生産され、複数の錠剤、カプセル、糖衣錠等のための十分なスペースをそれぞれ有する。すべての収容コンパートメント２２は、
一般的なホイル２５、たとえば薄いアルミホイルによって密封され、取り出し時間（午前、午後、夕方、夜）についての記号が備えられる。薄いホイルを破って開けることにより、患者は適切な時刻に、服用する製品を都合よく取り出すことができる。
【００２８】
収容コンパートメント２２を形成するプラスチック板と、ホイル２５との両方のミシン目２４によって、日ごとの細長片を、都合よく持ち運ぶためにブリスタパック２０から切り離すことができる。
【００２９】
個人用ブリスタパック２０は、関連する患者に対応づけられた、たとえばバーコードの形式である識別子２９を備える。しかし、他のタイプの個人識別子もまた可能である。
【００３０】
ブリスタパックを保護するために、かつ印刷された処方箋情報に適切な場合、ブリスタパックは、国際特許出願公開第2005/102862号に記載されるように、ヒンジ蓋（図１に図示せず）を有することができる。図１に示すように、ブリスタパック２０は、メモリデバイス５０をさらに備え、そこには収容コンパートメント内の製品の、及び他の製品、たとえば補助食品、外用薬等の使用情報が記憶される。メモリデバイス５０は、ブリスタパックの一定期間（たとえば一週間）分を一回使用するために一度のみ書き込むことができるメモリか、又は何度も書き込むことができるメモリかの形状にすることができ、その週が終了すると、さらなる使用のために薬局に戻されるか、又は次の週に向けて遠隔データ通信によって更新される。
【００３１】
メモリデバイス５０は、接着剤、ベルクロ（登録商標）ファスナ、保持ストラップ又は同様のものによって、ブリスタパック２０に取り外し可能に取り付けられることができるため、患者は、ブリスタホイル２５を破損させることなく、ブリスタパックから容易に取り除くことができる。メモリデバイスは、保持ストラップ６０として示されているような携帯装置を有することができるため、患者は、たとえばメモリデバイスを首に掛けるか、又は他の方法で、メモリデバイスを身に付けて持ち運ぶことができる。
【００３２】
ここで、図２のブロック図を参照して、本発明のメモリデバイス５０の実施形態の必須要素を説明する。メモリデバイスは、メモリ素子５２を有し、これは上述のように、一度書き込みができるか又は何度も書き込みができるメモリであることができる。たとえば、ＥＰＲＯＭ又はフラッシュメモリ素子を用いることができ、たとえばチップカードで既知である他の技術も可能である。
【００３３】
加えて、メモリデバイス５０は、インターフェイスユニット５４を有し、これはメモリに製品使用データを書き込むことを可能にする。また、インターフェイス５４は、たとえば赤外線、Ｂｌｕｅｔｏｏｔｈ、無線ＬＡＮ又は移動通信ネットワークによって、メモリ素子５２に記憶されたデータを更新するように設計することができる。
【００３４】
また、メモリデバイス５０は、タイマ５６及び出力ユニット５８を含み、患者に対するリマインダ機能を実施する。メモリ素子５２に記憶され、適切な場合、関連する食事（食前、食間又は食後）に関して、関連する薬を服用する時期（朝、昼、夕方、夜）を含む患者の使用データに基づいて、タイミング装置５６は出力装置５８に信号を供給し、出力装置はその後、警告信号を出力する。図示された例では、出力装置５８は、小型化されたスピーカであり、ビープ音、又はより好ましくは「昼食前に赤の錠剤を服用してください」又は「夕食時に心臓の薬を服用してください」等の細かい使用指示を伴う合成音声信号を出力する。音量は、コントローラ（図示せず）を用いて調節することができる。これに代えて、当然ながら、小さなディスプレイ上に使用指示を出力する視覚的な出力装置を用いることができる。しかし、患者に対する最も都合のよいリマインダ機能は、音声合成を用いて達成可能であることが妥当である。
【００３５】
メモリデバイスには、使用データに加えて、患者に対応付けた個人識別データが記憶される。これらは、出力装置５８を介して、ユーザ／患者のチェックのために出力されることができる。
【００３６】
メモリデバイス５０には、さらなる治療及び／又は診断動作、たとえば血圧測定または同様のものに関する患者関連データを、さらに記憶させることができる。
【００３７】
たとえば携帯電話のＳＩＭカード様のメモリデバイス５０は、廉価で省スペースかつ軽量化された形状にすることができる。電源については、電源ユニット（図２に図示せず）、たとえば小型のバッテリまたはコンデンサを備えることができる。しかし、メモリ素子５０はまた、ＲＦＩＤチップに対応する受動素子の形状にして、無線周波数アンテナが設けられたインターフェィスユニット５４を介して無線周波数信号を受信し、これらをさらに電源として用いることができる。
【００３８】
安全な取り扱いのために、メモリデバイスは、防水性で、水洗いでき、耐衝撃性かつ廉価な、たとえばプラスチック製のケースを備える。
【００３９】
好ましくは、ボタン又は同様のものを押すことによって、リマインダ信号を所定期間、たとえば１０分間抑制する（場合によっては妨げる）付加のオプションを設けることができる。そのような機能は、たとえばアラーム時計で既知である。そして、抑制された信号は、後に出力されてすぐに変換され、続いて、逸したかもしれない製品使用について患者に気付かせることができる。
【００４０】
また、処方箋（服用遵守）に従った正しい薬の使用をチェックするために、患者が処方箋に従った薬使用を確認する確認ボタン（図示せず）を設けることができる。これに代えて、この目的のために、収容コンパートメント２２のそれぞれのために、対応するホイルセクションの破れを検出し、それにより処方箋に従った薬使用を推定するセンサ装置を設けることができる。
【００４１】
以下に、図３及び４を参照して、本発明の、大勢の患者用に個別に定義された製品を組合せたものを個別の包装ユニットに自動包装するための方法の実施形態を説明する。
【００４２】
第１の方法ステップＳ１では、まず大人数の患者１００から、患者が用いるように処方された個別の処方箋データ、すなわち薬及びその他の製品（ビタミン製剤、補助食品、外用薬等）が、好ましくはいずれの場合も患者を管理する薬局で取り込まれ、そして続く方法ステップＳ２で、データベース８０に記憶される。データベース８０は、図３に図示されるように、薬局に維持される分散型データベースか、又は集中データベースかにすることができる。
【００４３】
包装機又はローディング機９０は、数多くの（おそらくは数十万人の）患者に供給するために装備され、メーカごとに大量に薬を供給される。患者に対して定義された期間分処方された個人用かつ指定の患者用の薬及び／又はその他の製品を、上述のブリスタパック内に包装するために、方法ステップＳ３で、患者の使用データがデータベース８０から読み出され、続く方法ステップＳ４で、その患者に対して一定期間分処方された薬が包装される個別のブリスタパック２０が、各患者に割り当てられる。
【００４４】
読み出された使用データに基づいて、さらなる方法ステップＳ５で、これらの使用データは、患者に対応付けられたメモリデバイス５０にさらに記憶され、そしてメモリデバイスは、ステップＳ６で包装ユニット２０に取り付けられる。明らかに、方法ステップＳ５及びＳ６は、逆の時系列で実行することができる。
【００４５】
さらなる方法ステップＳ７では、メモリデバイスに記憶された個人識別データが、包装ユニットに取り付けられた識別子２９と一致することをチェックする。このように、包装ユニット２０と、メモリデバイス５０に記憶された使用データとの対応付けの正確さを検証することができるため、患者に割り当てられた製品及び使用データが、患者に常時供給される。
【００４６】
このように迅速で確実かつ廉価に生産されたブリスタパック（またはウィークリブリスタ）は、適切な薬局に届けられ、そしてここで、適切な患者が、記憶素子を備えたウィークリブリスタを入手できるようになる。また、メモリデバイス５０は、ブリスタが供給されない製品、たとえば外用薬、健康茶、温泉治療又は同様のものの使用データを含むこともできる。本発明の一つの変形はまた、上述のように、メモリデバイス上の使用データは、好ましくは無線手段によって、たとえば薬局に設けられた特殊な移動通信信号又はＢｌｕｅｔｏｏｔｈもしくは赤外線インターフェイスによって更新されることも提供することができる。
【００４７】
図５は、本発明の、個人用ブリスタパック２０の第二の実施形態によるメモリユニット５０のブロック図を示す。
【００４８】
図２に示された要素に加えて、第二の実施形態のメモリユニット５０は、ＧＰＳユニット５５を有し、メモリデバイスの、ひいてはユーザ／患者の位置を検出する。患者の位置は、無線インターフェイス５４を介して、移動通信又は同様のものによって、たとえば病院又は医療施設に伝えることができるため、特に高齢の患者を対象とした看護を改善させることができる。
【００４９】
加えて、第二の実施形態のメモリ素子５０は、無線インターフェイス５４を介して緊急呼び出しを行うための緊急呼び出しボタン５７を有し、その場合、緊急呼び出しボタン５７を操作することによって、たとえばユーザ宅の玄関ドアに設置されたアクセスアンロッキングシステムを、トランスポンダ又は同様のものを介してさらに作動させて、救急サービスのアクセスを容易にすることができる。
【００５０】
さらに、図５に示された実施形態の場合、患者データ、リマインダデータ又は同様のものを表示するためのディスプレイ５３が示されている。
【００５１】
このように、本発明は、数多くの患者に、個別に処方された製品又は薬の組合せを、迅速で確実かつ廉価に供給することを可能にする。ブリスタパックの都合のよい取り扱い及びリマインダ機能を有する供給されたメモリデバイスは、患者の適切な薬物療法を支援するため、患者は自分で自分の管理をすることが可能になり、入院治療には至らない。
【図１】
2009540989.tif 000003
【図２】
2009540989.tif 000004
【図３】
2009540989.tif 000005
【図４】
2009540989.tif 000006
【図５】
2009540989.tif 000007
【国際調査報告】
2009540989.tif 000008
2009540989.tif 000009
2009540989.tif 000010
2009540989.tif 000011
2009540989.tif 000012
2009540989.tif 000013
2009540989.tif 000014
2009540989.tif 000015
2009540989.tif 000016
2009540989.tif 000017